(57)【特許請求の範囲】
【請求項１】
昇降路を昇降する乗りかごと、前記乗りかごとともに昇降する釣合おもりと、一端が前記乗りかごに接続され、他端が前記釣合おもりに接続されたロープと、前記ロープが巻きかけられた綱車を有する巻上機と、前記乗りかごに設けられた整流構造体と、を備えたエレベーター装置において、
前記乗りかごは、ドアが設けられた前面と、前記前面に対向する背面と、前記前面と前記背面との間に設けられた一対の側面と、前記前面、前記背面および前記一対の側面の端部にそれぞれ接続された上面および下面と、を有し、
前記整流構造体は、前記乗りかごの前記上面の、前記前面と接続された端部に設けられた前面板と、前記乗りかごの前記上面の、前記側面と接続された端部に設けられ、前記側面の幅と同じ幅を有する一対の側面板と、を有し、前記前面板と前記側面板は同じ高さを有し、前記前面板の両端部と前記側面板の片側の端部が接続されて一体となった断面コの字状の箱体であり、
前記前面板の、前記乗りかごの前記上面と接続された端部と反対側の端部に切り欠きを有することを特徴とするエレベーター装置。
【請求項２】
請求項１記載のエレベーター装置において、前記乗りかごの昇降中に、気流が前記整流構造体を介して前記乗りかごの背面に流れるように構成されていることを特徴とするエレベーター装置。
【請求項３】
請求項１記載のエレベーター装置において、前記前面板の前記切り欠きは、正面から見たときに、前記乗りかごに向かって凸の放物線形状を有することを特徴とするエレベーター装置。
【請求項４】
請求項１記載のエレベーター装置において、前記前面板の前記切り欠きは、正面から見たときに、Ｖの字形状を有することを特徴とするエレベーター装置。
【請求項５】
請求項１記載のエレベーター装置において、前記前面板は、正面から見たときに、前記切り欠きによって台形状に切り抜かれていることを特徴とするエレベーター装置。
【請求項６】
請求項１記載のエレベーター装置において、前記側面板は、前記上面と接続されている端部と反対側の端部が、上方に凸の放物線形状を有することを特徴とするエレベーター装置。
【請求項７】
請求項１ないし６のいずれか１項に記載のエレベーター装置において、さらに、前記下面に、前記整流構造体を上下反転させた構造を有する乗りかご下部整流構造体を備えることを特徴とするエレベーター装置。
【請求項８】
請求項１ないし６のいずれか１項に記載のエレベーター装置において、前記整流構造体の横断面の面積が、前記整流構造体の前記乗りかごに接続されている端部と反対側の端部から前記乗りかごに向かって大きくなるように構成されていることを特徴とするエレベーター装置。
【発明の詳細な説明】
【技術分野】
【０００１】
本発明は、エレベーター装置に関し、特に、乗りかご周囲の気流によって発生する流体騒音が、乗りかご内に伝搬することを抑制する構造を有するエレベーター装置に関する。
【背景技術】
【０００２】
高層ビルの建設技術の発達に伴ってエレベーターの高速化が求められており、最近では毎分１０００ｍ以上の速度で上昇する高速エレベーターが製品化されている。これらの高速エレベーターでは、昇降路内を高速で乗りかごが移動するため、乗りかご周囲の空気の流れ（気流）がはく離して流体騒音が発生する。この流体騒音（空力騒音）は、一般に、エレベーター速度の６乗に比例して増大するため、エレベーター速度の向上に伴って乗りかご内の騒音は急激に大きくなり、乗りかご内の乗客の快適性を著しく悪化させる。これを改善するため、一般的な高速エレベーターでは、流線型の整流カバーを乗りかごの上下に設置し、気流のはく離を抑制して流体騒音を低減している。
【０００３】
乗りかごに発生する流体騒音を低減する技術として、特許文献１には、昇降路内を走行する乗りかごと、この乗りかごの上端部と下端部のうちの少なくとも一方に設置され、上記乗りかごの走行方向に対して水平方向の断面積が部分的に異なる形状を有する整風板とを具備したことを特徴とするエレベーター装置が開示されている。特許文献１によれば、乗りかごに設けられた整風板の作用により、乗りかごが昇降路内の狭隘部を通過するときにかご正面への急激な流れ込みが抑えられて、空力騒音を低減することができるとされている。
【０００４】
特許文献２には、昇降路内を昇降する乗りかごを備え、この乗りかごが昇降路壁と近接する面の少なくとも乗りかごの下部に、幅方向端部を内側に曲げて成る整風板を装着したことを特徴とするエレベーターの整風装置が開示されている。特許文献２によれば、乗りかごの昇降路壁と近接する面の少なくとも乗りかごの下部に、端部を内側に折り曲げた整風板を設けているので、かご周りの渦流を抑制・低減し、渦流により発生する風音を低減して乗心地を向上するエレベーターの整風装置を提供できるとされている。
【先行技術文献】
【特許文献】
【０００５】
【特許文献１】特開２０１１‐５７３１８号公報
【特許文献２】特開平６‐８０３５６号公報
【発明の概要】
【発明が解決しようとする課題】
【０００６】
一般に、乗りかごの前面側の防音性能は、背面側や側面側に比べて劣る。これは、乗りかご前面にはドアがあるが、このドアの開閉機構をスムーズに行うためには、ドアと周辺部材の間にある程度の隙間を設ける必要があり、この隙間から乗りかご内部に音が漏洩して伝達するためである。上述した特許文献１および２は、いずれも防音性能が低い乗りかご前面と昇降路との間に入り込む気流を十分に低減できるものではなかった。
【０００７】
本発明は、上記事情に鑑み、乗りかごのドアの開閉機能および乗りかごの昇降機能等のエレベーター装置の機能を阻害することなく、乗りかごの昇降中に、乗りかごの前面と昇降路との間に入り込む気流を低減し、乗りかごに発生する流体騒音を低減することが可能な整流構造体を有するエレベーター装置を提供することにある。
【課題を解決するための手段】
【０００８】
本発明は、上記目的を達成するため、昇降路を昇降する乗りかごと、乗りかごとともに昇降する釣合おもりと、一端が乗りかごに接続され、他端が釣合おもりに接続されたロープと、ロープが巻きかけられた綱車を有する巻上機と、乗りかごに設けられた整流構造体と、を備えたエレベーター装置において、上記乗りかごは、ドアが設けられた前面と、前面に対向する背面と、前面と背面との間に設けられた一対の側面と、前面、背面および一対の側面の端部にそれぞれ接続された上面および下面と、を有し、上記整流構造体は、乗りかごの上面の、前面と接続された端部に設けられた前面板と、乗りかごの上面の、側面と接続された端部に設けられ、前記側面の幅と同じ幅を有する一対の側面板と、を有し、前記前面板と前記側面板は同じ高さを有し、前記前面板の両端部と前記側面板の片側の端部が接続されて一体となった断面コの字状の箱体であり、上記前面板の、乗りかごの上面と接続された端部と反対側の端部に切り欠きを有することを特徴とするエレベーター装置を提供する。
【発明の効果】
【０００９】
本発明によれば、乗りかごのドアの開閉機能および乗りかごの昇降機能等のエレベーター装置の機能を阻害することなく、乗りかごの昇降中に、乗りかごの前面と昇降路との間に入り込む気流を低減し、乗りかごに発生する流体騒音を低減することが可能な整流構造体を有するエレベーター装置を提供することができる。
【００１０】
上記した以外の課題、構成および効果は、以下の実施形態の説明により明らかにされる。
【図面の簡単な説明】
【００１１】
【図１】従来の整流カバーを有しない乗りかごの側面を示す模式図である。
【図２】従来の整流カバーを有する乗りかごの側面を示す模式図である。
【図３】一般的なエレベーター装置の乗りかごの平面図である。
【図４】従来の整流カバーを有する乗りかごを模式的に示す斜視図である。
【図５】本発明に係るエレベーター装置を模式的に示す図である。
【図６】本発明の実施例１に係るエレベーター装置の乗りかごを模式的に示す斜視図である。
【図７】図６の前面板を正面から見た模式図である。
【図８（ａ）】図６の整流構造体の横断面図である。
【図８（ｂ）】図６の整流構造体の横断面図である。
【図８（ｃ）】図６の整流構造体の横断面図である。
【図８（ｄ）】図６の整流構造体の横断面図である。
【図９】本発明の実施例２に係るエレベーター装置の乗りかごを模式的に示す斜視図である。
【図１０】図９の前面板を正面から見た模式図である。
【図１１】本発明の実施例３に係るエレベーター装置の乗りかごを模式的に示す斜視図である。
【図１２】本発明の実施例４に係るエレベーター装置の乗りかご上部に設けられた整流構造体を模式的に示す斜視図である。
【図１３】切り欠きを有しない整流構造体を備えた乗りかごを模式的に示す斜視図である。
【図１４】図１３の前面板を正面から見た模式図である。
【発明を実施するための形態】
【００１２】
まず始めに、本発明に係るエレベーター装置の詳細な説明に先立ち、従来のエレベーター装置の整流カバーについて説明する。図１は整流カバーを有しない乗りかごの側面を示す模式図であり、図２は従来の整流カバーを有する乗りかごの側面を示す模式図である。図１では、エレベーター装置の乗りかご１０が上昇（紙面下方から上方へ移動）する際の、乗りかご１０上部の気流４０の流れる方向（流線）を模式的に示している。一般に、気流４０は構造物（乗りかご１０）の壁面に沿って流れ、「層流」４１を形成するが、図１のＸ部分のように、乗りかご１０の形状の外形線の曲率が大きくなる角部においては、気流４０の速度と方向が急激に変化し、気流４０が乗りかご１０の形状の変化に追従できず、遂には剥離して、その先は「乱流」４２となる。気流４０が乱流４２となって流れが乱れると、流れの中に大小さまざまなスケールの渦が発生することとなり、これらの渦が互いに衝突したり、あるいは乗りかご１０の壁面に再衝突したりするときに圧力変動が発生して、これがその周囲へ伝搬する。これが流体騒音の発生メカニズムである。
【００１３】
これに対して、図２では乗りかご１０に整流カバー２０´を設けており、整流カバー２０´の外形線を滑らかな流線型とすることにより、気流４０の流速と流れる方向の急激な変化が抑制され、整流カバー２０´を適用しない場合よりも下流まで流れが乗りかご１０の壁面に沿う「層流」４１が形成され、気流の剥離が起こりにくくなる。このため、気流の乱れによる渦も放出されにくくなり、結果として流体騒音が低減する。このように、整流カバー２０´は、乗りかご周りの気流４０について急激な流速変化・方向変化を引き起こさないように、できるだけ滑らかな流線型で、突起や陥没などの無い形状とすることが理想的である。
【００１４】
次に、乗りかご１０における流体騒音発生箇所について説明する。図３は一般的なエレベーター装置の乗りかごの平面図である。図３の平面図は、乗りかごの上面側（天井側）から見た図である。図３に示すように、昇降路３０内に配置されたエレベーター装置の乗りかご１０は、ドア１２が設けられた前面１１と、前面１１に対向する背面１４と、前面１１と背面１４との間に設けられた一対の側面１５と、前面１１、背面１４および一対の側面１５の端部にそれぞれ接続された上面および底面（図示せず）を有する箱体で構成される。前面１１、背面１４および一対の側面１５で構成される構造を、「かご側板構造」と称する。
【００１５】
流体騒音源は、昇降路壁面３１と乗りかご１０の間に発生し、これがかご周囲へ入射する（この入射する音を「入射音」９１と称する。）が、乗りかご１０内に発生する騒音は、この入射音９１の乗りかご１０内へ伝搬する経路によって２種類に分けられる。１つは、かご側板構造やドア１２に対し、昇降路３０と乗りかご１０の間で発生した音が入射することで、かご側板構造およびドア１２そのものが加振されて振動し、最終的にそれが乗りかご１０の内部へ音を放射する、「透過音」９２と呼ばれるものである。この透過音９２は、一般に透過する構造、この場合では、かご側板構造やドア１２の面密度に依存し、面密度が大きいほど透過音９２は小さくなる。
【００１６】
もう１つは、かご側板構造とドア１２の間の隙間から直接漏れてくる「漏洩音」９３である。この透過音９２と漏洩音９３を比較すると、一般には漏洩音９３の寄与が透過音９２より大きい。このため、漏洩音９３の低減を目的としてかご側板構造とドア１２の間の隙間にはシール部材１３が設置されることがあるが、ドア１２の開閉機構を考慮すると、封止性の高い構成は実現が難しく、依然として漏洩音９３の寄与が大きい状況は大きくは変わらない。このような乗りかご１０の防音特性に鑑みると、乗りかご１０の周囲の流体騒音源のうち、特にドア１２が設けられた乗りかご１０の前面１１に発生する流体騒音源を、より積極的に低減しなければならないという考察がなされる。
【００１７】
図４は従来の整流カバーを有する乗りかごを模式的に示す斜視図である。図２において説明したように、従来の整流カバー２０´を設けた乗りかご１０では、整流カバー２０´を有することで乱流の発生を防止することができるが、乗りかご１０の側面方向に流れ込んだ気流が、乗りかご１０の前面側に流れ込むことを積極的に防ぐ構造とはなっていない。そのため、図４に示すように、少なからず乗りかご前面へ流れる気流４３が発生し、これが乱れを起こすと、乗りかご１０の前面、特にドア上部付近において流体騒音源９０を発生させる。上述したように、乗りかごの前面は特に防音特性が劣るため、乗りかごの流体騒音を低減するためには、乗りかごの前面への気流の流入を防ぐ必要がある。そこで、本発明に係るエレベーター装置では、乗りかごに、乗りかごの前面への気流の流入を低減することができる新規な整流構造体が設けられている。以下、本発明に係る実施形態について、図面を参照しながら詳細に説明する。
【実施例１】
【００１８】
図５は発明に係るエレベーター装置を模式的に示す図である。図５に示すように、本発明に係るエレベーター装置１００は、昇降路３０を昇降する乗りかご１０と、乗りかご１０とともに昇降する釣合おもり５０と、一端が乗りかご１０に接続され、他端が釣合おもり５０に接続されたロープ５１と、ロープ５１が巻きかけられた綱車５２を有する巻上機（図示せず）と、乗りかご１０に設けられた整流構造体２０，２０´を備える。整流構造体２０は乗りかご１０の上部に設けられたものであり、整流構造体２０´は乗りかご１０の下部に設けられたものである。乗りかご１０は、上述した従来の乗りかごと同様に、ドア１２が設けられた前面と、前面に対向する背面と、前面と背面との間に設けられた一対の側面と、前面、背面および一対の側面の端部にそれぞれ接続され上面（天井面）および下面（床面）を有する箱体から構成される。
【００１９】
図６は本発明の実施例１に係るエレベーター装置の乗りかごを模式的に示す斜視図であり、図７は図６の前面板を正面から見た模式図である。図６および７に示すように、本実施例に係る整流構造体２０ａは、乗りかご１０の上面（図示せず）の、前面１１と接続された端部に設けられ、前面１１を延長するようにして設けられた前面板２１ａと、乗りかご１０の上面の、側面１５と接続された端部に設けられ、側面１５を延長するようにして設けられた一対の側面板２２ａを有する。そして、前面板２１ａは、乗りかご１０の上面と接続された端部と反対側の端部（乗りかご１０から遠い側の辺の一部）に切り欠き２３ａを有する。本実施例の前面板２１ａの端部に設けられた切り欠き２３ａは、正面から見たときに、乗りかご１０に向かって凸の放物線形状を有しるように切り欠き２３ａが設けられている。
【００２０】
上述したような構成の整流構造体２０ａを設けることにより、乗りかご１０の昇降中に、乗りかご上方からの気流４０は、切り欠き２３ａに衝突しないものは、整流構造体２０ａの前面板２１ａの背面（前面板２１ａおよび側面板２２ａで囲まれた空間）に安定して流れる。一方、乗りかご上方からの気流４０のうち、切り欠き２３ａに衝突したものは、図６の気流４３のように前面板２１ａの前面側に流れ込むが、その後、下流に流れるにつれて左右方向（側面板２２ａ側）に流れて周囲に拡散し、ドア１２付近ではその流速は小さくなる。この現象について図７を用いて詳細に説明する。図７に示すように、整流構造体２０ａの上部から気流４０が流れてくると、その一部は前面板２１ａの端部（切り欠き２３ａ）に衝突し、さらにその一部はかご前面側に流れ込む。しかしながら、切り欠き２３ａに衝突した流れは、切り欠き２３ａを乗り越える際に、切り欠き部２３ａの法線方向（図７の矢印７０の方向）に流れるようにその流速方向が変化し、図７の矢印のように、左右に拡散するようにして広がる。
【００２１】
切り欠き２３ａの効果について、さらに詳述する。図１３は切り欠きを有しない整流構造体を備えた乗りかごを模式的に示す斜視図であり、図１４は図１３の前面板を正面から見た模式図である。図１３に示す乗りかご１０は、前面板２１´および側面板２２´からなる整流構造体２０´´を備えるが、前面板２１´は、本発明のように切り欠きを有していない。前面板２１´が切り欠きを有していないと、乗りかご１０の上方から降りてきた気流４３は、前面板２１´の端部に衝突して前面板２１´の前面に流れ込み、左右に分かれることなくそのまま下降する。また、側面板２２´に流れた気流も、前面板２１´に回り込む。この結果、乗りかご１０の前面１１へ気流が流入し、流体騒音源９０が発生する。このように、切り欠き２３ａは、乗りかご１０の前面１１への気流の流入を防止するためには、乗りかご１０に前面板２１´および側面板２２´を設けるだけでは十分ではなく、前面板２１´に切り欠きを設けることが必須となる。
【００２２】
以下に、上述した整流構造体２０ａの構造と気流の動きについて詳述する。図８（ａ）〜（ｄ）は、図６の整流構造体の横断面図である。図８（ａ）は、整流構造体２０ａの先端（切り欠き２３ａが設けられている側の端部）に最も近い箇所の横断面図であり、図８（ａ）、８（ｂ）、８（ｃ）および８（ｄ）の順に整流構造体２０ａの下端（乗りかご１０と接続される側の端部）に近い箇所の横断面図を示している。言い換えると、図８（ａ）〜（ｄ）は、整流構造体２０ａの先端から下端に向かって、整流構造体２０ａの断面形状の変化を示している。図８（ａ）〜（ｄ）に示すように、前面板２１ａと側面板２２ａとで略囲まれる空間に流れ着いた気流４０は、この空間の中心方向にかき集められるようにして流れ、最終的にかご背面側へと安定して流れることができることが伺える。その結果、防音特性が小さい乗りかご１０の前面側での流体騒音源の発生が抑制されて、乗りかご内の静かな環境を維持することができる。
【００２３】
上述したように、本発明に係るエレベーター装置１００は、乗りかご１０のドア１２が設けられた前面１１を延長するようにして設けられた前面板２１ａと、乗りかご１０の側面１５を延長するようにして設けられた側面板２２ａを有する整流構造体２０ａを乗りかご１０の上部に設け、前面板２１ａが切り欠き２３ａを有することで、乗りかご１０の上方の気流４０を、効果的に乗りかご１０の背面へ流すことができ、さらに切り欠き２３ａに衝突して前面板２１ａの前面側に流れ込んできた気流４３は、前面板２１ａの左右に沿って流れることで、乗りかご１０の前面１１への気流の流入を防止することができる。
【００２４】
側面板２２ａが無い場合には、気流４０を前面板２１ａおよび側面板２２ａで囲まれた空間に補足することができず、前面板２１ａの裏側に流れた気流が再び前面板２１ａの前面側に入り込み、そのまま下降して乗りかご１０の前面１１に流れてしまう。また、前面板２１ａおよび側面板２２ａを備えていても、前面板２１ａに切り欠き２３ａが無い場合には、図１３および図１４において説明したように、切り欠き２３ａに衝突した気流４３を前面板２１ａの左右方向に流すことができず、気流４３はそのまま下降して乗りかご１０の前面１１に流れてしまう。前面板２１ａに切り欠き２３ａが無く、側面板２２ａに切り欠き２３ａが設けられていても、気流４０を効果的に背面に流すことはできない。すなわち、整流構造体２０ａが、前面板２１ａおよび側面板２２ａを有しており、かつ、前面板２１ａに切り欠きが設けられていることで本発明の効果を得ることができる。
【００２５】
以上のように、本発明に係るエレベーター装置によれば、乗りかご１０の昇降中に、乗りかご上方からの気流４０のうち、切り欠き２３ａに衝突しないものは、整流構造体２０ａの背面に安定して流れ、切り欠き２３ａに衝突したものは、前面板２１ａに沿って左右方向へ流れ、乗りかご１０の前面１１に気流が流入することを防ぐことができるので、乗りかごに発生する流体騒音を低減することができる。また、本発明では、乗りかご１０の上部に整流構造体２０ａを設けており、ドア１２の周囲にシール部材や機器を設置するものではないので、ドア１２の開閉や、乗りかごの運動性能などのエレベーターの性能を阻害することなく、乗りかご１０の防音特性を高めることが可能となる。
【００２６】
乗りかご昇降中の流体騒音を低減することができる本発明は、特に高速エレベーター、あるいは単独の昇降路を往来する中高速エレベーターに好適である。
【００２７】
なお、上記では、乗りかご１０の上面に整流構造体２０ａを備える例について説明したが、図６に示すように、乗りかご１０の下面に、整流構造体２０ａを上下反転させた構造を有する整流構造体２０ａ´を設けていてもよく、乗りかご１０の上面および下面の両方に整流構造体を設けることによって、本発明の効果をより高めることができる。
【００２８】
整流構造体２０ａを構成する前面板２１ａおよび側面板２２ａの材料は、整流構造体に適した強度を有するものであれば特に限定は無いが、例えばＦＲＰ（繊維強化プラスチック）や樹脂を用いることができる。整流構造体２０ａは、材料に樹脂を用いる場合には、積層造形法（３Ｄプリンター）によって作製することができる。
【実施例２】
【００２９】
図９は本発明の実施例２に係るエレベーター装置の乗りかごを模式的に示す斜視図であり、図１０は図９の前面板を正面から見た模式図である。本実施例に係る整流構造体２０ｂの実施例１の整構造体２０ａと異なる点は、切り欠き２３ｂの形状である。実施例１では、前面板２１ａの先端が、切り欠き２３ａによって、左右に２つの山を有するような形状（この形状を、「左右二峰型」と称する。）を呈しているが、本実施例に係る前面板２１ｂの先端は、正面から見たときに、切り欠き２３ｂによって台形状に切り抜かれた形状を有している。実施例１の前面板２１ａは曲面形状部分が多く、ＦＲＰなどの材料に対して、型を用いて成型しなければならない部分があるが、本実施例に係る前面板２１ｂは、実施例１よりも曲面形状部分が少なく、板金などでも製作することができるので、実施例１に係る前面板２１ａよりも、低コストで前面板２１ｂを製作することができる。図９および図１０に示すように、このような切り欠き２３ｂの形状であっても、実施例１と同様に、前面板２１ｂの前面側に流れ込んできた気流４３は、下流で前面板２１ｂに沿って左右に分かれるため、乗りかご１０の前面１１に周り込む気流を低減し、乗りかごに発生する流体騒音を低減することができる。
【実施例３】
【００３０】
図１１は本発明の実施例３に係るエレベーター装置の乗りかごを模式的に示す斜視図である。本実施例に係る整流構造体２０ｃの実施例１の整構造体２０ａおよび実施例２の整構造体２０ｂと異なる点は、切り欠き２３ｃの形状である。本実施例に係る前面板２１ｃの切り欠き２３ｃは、正面から見たときに、Ｖの字形状を有する。このような形状であっても、実施例１および２と同様の効果を得ることができる。なお、切り欠きの形状は、上述した実施例２および３の形状に限定されず、他多角形状を有していてもよい。
【実施例４】
【００３１】
図１２は本発明の実施例４に係るエレベーター装置の乗りかご上部に設けられた整流構造体を模式的に示す斜視図である。本実施例に係る整流構造体２０ｄの実施例１の整構造体２０ａ、実施例２の整構造体２０ｂおよび実施例３の整構造体２０ｃと異なる点は、側面板２２ｄの形状である。本実施例に係る側面板２２ｄは、乗りかご上方に向かって凸を有する形状を呈している。側面板２２ｄがこのような形状であっても、実施例１〜３と同様の効果を得ることができる。
【００３２】
以上、説明したように、本発明によれば、乗りかごのドアの開閉機能および乗りかごの昇降機能等のエレベーター装置の機能を阻害することなく、乗りかごの昇降中に、乗りかごの前面と昇降路との間に入り込む気流を低減し、乗りかごに発生する流体騒音を低減することが可能な整流構造体を有するエレベーター装置を提供することができることが示された。
【００３３】
なお、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００３４】
１０…乗りかご、１１…前面、１２…ドア、１３…シール部材、１４…側面、１５…背面、２０，２０ａ，２０ａ´，２０ｂ，２０ｂ´，２０ｃ，２０ｃ´，２０ｄ，２０´，２０´´…整流構造体、２１，２１ａ，２１ａ´，２１ｂ，２１ｂ´，２１ｃ，２１ｃ´，２１ｄ…前面板、２３ａ，２３ａ´，２３ｂ，２３ｃ…切り欠き、２２，２２ａ，２２ａ´，２２ｂ，２２ｂ´，２２ｃ，２２ｃ´，２２ｄ…側面板、３０…昇降路、３１…昇降路壁面、４０…乗りかご上方の気流、４１…層流、４２…乱流、４３…乗りかご前面に流れ込む気流、５０…釣合おもり、５１…ロープ、５２…巻上機の綱車、６０…ガイドレール、６１…ガイド装置、７０…乗りかご前面に流れ込む気流の拡散方向、９０…流体騒音源、９１…入射音、９２…透過音、９３…漏洩音、１００…エレベーター装置。
【図１】
0006652883.tif 000002
【図２】
0006652883.tif 000003
【図３】
0006652883.tif 000004
【図４】
0006652883.tif 000005
【図５】
0006652883.tif 000006
【図６】
0006652883.tif 000007
【図７】
0006652883.tif 000008
【図８（ａ）】
0006652883.tif 000009
【図８（ｂ）】
0006652883.tif 000010
【図８（ｃ）】
0006652883.tif 000011
【図８（ｄ）】
0006652883.tif 000012
【図９】
0006652883.tif 000013
【図１０】
0006652883.tif 000014
【図１１】
0006652883.tif 000015
【図１２】
0006652883.tif 000016
【図１３】
0006652883.tif 000017
【図１４】
0006652883.tif 000018